(57)【要約】【課題】表示部を有する電子機器で、必要な表示品質を維持しながら、低消費電力化を図る。【解決手段】表示部14周辺の照度を検出する照度センサ17と、ノーマルモードと、ノーマルモードとは異なるアンビエントモードにおいて、検出した照度が明るい程、表示部14の輝度を高く設定して駆動させるプロセッサ11とを備え、プロセッサ11がアンビエントモード時の表示部14の最高輝度を、ノーマルモード時の最小輝度より低く設定する。【選択図】      図１
2020034674.tif 000002
【特許請求の範囲】
【請求項１】
表示部を有する電子機器であって、
上記表示部周辺の明るさ情報を取得する明るさ情報取得手段と、
第１の表示モードと、上記第１の表示モードとは異なる第２の表示モードにおいて、取得した上記明るさ情報が明るい程、上記表示部の輝度を高く設定して駆動させる輝度設定手段と、
を備え、
上記輝度設定手段は、上記第２の表示モード時の上記表示部の最高輝度を、上記第１の表示モード時の最高輝度より低く設定する、
電子機器。
【請求項２】
上記輝度設定手段は、上記第２の表示モード時に、上記明るさ情報が所定の明るさ以上で上記表示部の輝度の上限値を設定する、請求項１記載の電子機器。
【請求項３】
上記輝度設定手段は、上記第２の表示モード時の上記表示部の最高輝度を、上記第１の表示モード時の最小輝度より低く設定する、請求項１記載の電子機器。
【請求項４】
上記表示部は自発光型の表示部であり、上記第２の表示モードは、上記第１の表示モードに比して黒色表示の割合を多くすることにより、上記第１の表示モードに比して消費電力が低い、請求項１乃至３いずれか記載の電子機器。
【請求項５】
上記第２の表示モードは、上記第１の表示モードに比して、上記表示部で表示する画像にコントラスト強調を含む階調制御を施した表示を実行する、請求項４記載の電子機器。
【請求項６】
上記第１の表示モードと上記第２の表示モードとを択一的に切替える切替手段をさらに備え、
上記切替手段は、上記第２の表示モード時に、当該電子機器で予め設定した条件が成立した時点で上記第１の表示モードに切替える、
請求項１乃至５いずれか記載の電子機器。
【請求項７】
上記予め設定した条件は、当該電子機器に備えられる操作部への操作、当該電子機器で設定されていたアラームの起動、当該電子機器に備えられる通信部への外部機器からのアクセス、の内の少なくとも１つである、請求項６記載の電子機器。
【請求項８】
上記切替手段は、当該電子機器に備えられる操作部への操作、当該電子機器で設定されていたアラームの起動、当該電子機器に備えられる通信部への外部機器からのアクセス、の内の少なくとも１つの条件が成立し、上記第１の表示モードに切替った後、上記条件が途切れたと判断した場合から、一定時間経過した時点で上記第２の表示モードに切替える、請求項６記載の電子機器。
【請求項９】
上記電子機器は、電源として二次電池を備え、
上記輝度設定手段は、上記二次電池への充電状態の有無により上記第２の表示モード時の上記表示部の輝度を増減設定する、
請求項１乃至８いずれか記載の電子機器。
【請求項１０】
表示部を有する装置での表示制御方法であって、
上記表示部周辺の明るさ情報を取得する明るさ情報取得工程と、
第１の表示モードと、上記第１の表示モードとは異なる第２の表示モードにおいて、取得した上記明るさ情報が明るい程、上記表示部の輝度を高く設定して駆動させる輝度設定工程と、
を有し、
上記輝度設定工程は、上記第２の表示モード時の上記表示部の最高輝度を、上記第１の表示モード時の最高輝度より低く設定する、
表示制御方法。
【請求項１１】
表示部を有する装置が内蔵したコンピュータが実行するプログラムであって、上記コンピュータを、
上記表示部周辺の明るさ情報を取得する明るさ情報取得手段と、
第１の表示モードと、上記第１の表示モードとは異なる第２の表示モードにおいて、取得した上記明るさ情報が明るい程、上記表示部の輝度を高く設定して駆動させる輝度設定手段と、
して機能させ、
上記輝度設定手段では、上記第２の表示モード時の上記表示部の最高輝度を、上記第１の表示モード時の最高輝度より低く設定させる、
プログラム。
【発明の詳細な説明】
【技術分野】
【０００１】
本発明は、自発光表示素子を用いる表示部を備えた機器等に好適な電子機器、表示制御方法及びプログラムに関する。
【背景技術】
【０００２】
有機ＥＬ（Ｅｌｅｃｔｒｏ  Ｌｕｍｉｎｅｓｃｅｎｃｅ）を表示素子として用いた表示装置において、周囲の明るさに応じた最適な輝度で表示を行なうべく制御するようにした技術が提案されている（例えば、特許文献１）。
【先行技術文献】
【特許文献】
【０００３】
【特許文献１】特開２００１−１００６９７号公報
【発明の概要】
【発明が解決しようとする課題】
【０００４】
上記特許文献１に記載された技術を含めて、一般に周囲環境の明るさが増すのに連れて表示素子においても発光輝度を上げることで、画面に表示される内容が見えづらくなるのをある程度回避することができる。
【０００５】
近年、ユーザの身体に装着し、適宜スマートフォンなどの携帯通信端末とも連携してユーザから必要な情報を収集するウェアラブル端末が普及しつつある。この種のウェアラブル端末の中でも、ユーザの手首に装着し、必要により表示部においてユーザの行動に応じた各種の画像情報等を提示するリスト端末が、通常は単に腕時計として使用できることもあって、特に広く普及している。
【０００６】
このリスト端末においても、照度センサを備えることで、周囲が明るい場合にはそれに合わせて表示部の発光輝度を上げ、表示の見えづらさをある程度回避することが可能となるが、特にウェアラブル端末としてのリスト端末は、アプリケーションプログラムを実行していない状態での腕時計機能に加え、スマートフォン等とのデータ通信を含むアプリケーションプログラム実行時の動作など、容量が制限される電池電源を使用していることからも、単位時間当たりの電力消費量をより低減させることが求められている。
【０００７】
本発明は上記のような実情に鑑みてなされたもので、その目的とするところは、必要な表示品質を維持しながら、低消費電力化を図ることが可能な電子機器、表示制御方法及びプログラムを提供することにある。
【課題を解決するための手段】
【０００８】
本発明の一態様は、表示部を有する電子機器であって、上記表示部周辺の明るさ情報を取得する明るさ情報取得手段と、第１の表示モードと、上記第１の表示モードとは異なる第２の表示モードにおいて、取得した上記明るさ情報が明るい程、上記表示部の輝度を高く設定して駆動させる輝度設定手段と、を備え、上記輝度設定手段は、上記第２の表示モード時の上記表示部の最高輝度を、上記第１の表示モード時の最高輝度より低く設定する。
【発明の効果】
【０００９】
本発明によれば、必要な表示品質を維持しながら、低消費電力化を図ることが可能となる。
【図面の簡単な説明】
【００１０】
【図１】本発明の一実施形態に係るリスト端末の電子回路の機能構成を示すブロック図。
【図２】同実施形態に係る周囲環境に応じて表示部での最高輝度を決定する処理内容を示すフローチャート。
【図３】同実施形態に係る電池動作時の周辺照度と表示輝度の関係を示す図。
【図４】同実施形態に係る充電中動作時の周辺照度と表示輝度の関係を示す図。
【発明を実施するための形態】
【００１１】
以下、本発明を、スマートフォン等のデータ通信装置（図示せず）と連携して、ユーザのリクリエーション動作などを補助する、該ユーザの手首に装着して使用するリスト端末に適用した場合の一実施形態について、図面を参照して詳細に説明する。
【００１２】
図１は、同実施形態に係るリスト端末１０の電子回路の機能構成を示すブロック図である。同図において、このリスト端末１０は、プロセッサ１１、ワークメモリ１２、及びプログラムメモリ１３を中心として動作する。
【００１３】
ここでプロセッサ１１が、フラッシュメモリ等の不揮発性メモリで構成されるプログラムメモリ１３に記憶されている動作プログラムや各種固定データ等を読み出し、ＳＲＡＭ等で構成されるワークメモリ１２に展開して保持させた上で、その動作プログラムを順次実行することで、後述する動作等を統括して制御する。
【００１４】
これらプロセッサ１１、ワークメモリ１２、及びプログラムメモリ１３に対し、バスＢを介して、表示部１４、タッチ入力部１５、ＧＰＳ受信部１６、照度センサ１７、加速度センサ１８、気圧センサ１９、地磁気センサ２０、温度センサ２１、操作部２２、バイブレータ２３、及び無線通信部２４が接続される。
【００１５】
表示部１４は、自発光素子である有機ＥＬ（以下「ＯＬＥＤ」と称する）とその駆動回路とで構成され、プロセッサ１１から与えられる表示データに基づいた表示を行なう。
タッチ入力部１５は、表示部１４の上部に一体的に構成される、透明電極を形成したタッチパネルとその駆動回路とで構成され、ユーザの手指等による押圧操作があった場合に時系列の座標位置データを検出してプロセッサ１１へ送出する。
【００１６】
ＧＰＳ（Ｇｌｏｂａｌ  Ｐｏｓｉｔｉｏｎｉｎｇ  Ｓｙｓｔｅｍ：全地球測位システム）受信部１６は、ＧＰＳアンテナ２５を介して、図示しない複数のＧＰＳ衛星からの到来電波を受信し、現在位置の３次元座標（緯度、経度、高度）と現在時刻とを算出し、算出結果をプロセッサ１１へ送出する。
【００１７】
照度センサ１７は、表示部１４の端部近傍に配設され、表示部１４における周囲環境の明るさを照度として検出する。
【００１８】
加速度センサ１８は、互いに直交する３軸に沿ったそれぞれの加速度を検出することで、このリスト端末１０を装着しているユーザの姿勢（重力加速度方向を含む）と与えられている外力の方向とを検出する。
【００１９】
気圧センサ１９は、気圧を検出することで、気圧状態の変化を検出する。気圧センサ１９の検出出力を上記ＧＰＳ受信部１６の出力から得られる高度情報と組み合わせることで、ＧＰＳ測位ができなくなった時点から後の高度の推定にも利用できる。
【００２０】
地磁気センサ２０は、例えば磁気抵抗効果素子（ＭＲセンサ）で構成され、磁北方向を含めてこのリスト端末１０が対向している方位を検出する。
【００２１】
温度センサ２１は、温度を検出する。上記照度センサ１７、加速度センサ１８、気圧センサ１９、地磁気センサ２０、温度センサ２１の各検出出力は適時プロセッサ１１へ送出される。
【００２２】
操作部２２は、リスト端末１０の外面に備えら、ユーザが直接操作するキーの入力を受け付けて、キー操作信号をプロセッサ１１へ送出する。
【００２３】
バイブレータ２３は、偏心したウエイトを回転軸に取り付けたモータと、その駆動部とで構成され、アラーム時等に駆動されて振動を発生させて、リスト端末１０全体を揺動させる。
【００２４】
無線通信部２４は、アンテナ２６を介して、例えばＢｌｕｅｔｏｏｔｈ（登録商標）ＬＥ（Ｌｏｗ  Ｅｎｅｒｇｙ）規格に則った近距離無線通信技術により、近距離にあるスマートフォン等とデータ通信を行なう。
【００２５】
なお、図示はしないが、このリスト端末１０は、電源に二次電池、例えばリチウムイオン二次電池を使用しており、リスト端末１０の筐体の側面等に形成された、電磁結合を利用した充電端子への接続状態も含めて、プロセッサ１１は当該二次電池の充電制御状態を認識し、管理するものとする。
【００２６】
次に上記実施形態の動作について説明する。  
なお本実施形態において、リスト端末１０を動作させる際の、自発光素子であるＯＬＥＤを用いた表示部１４での表示状態にあっては、ノーマルモードと、ノーマルモードに比して黒色表示の割合が多いアンビエントモードのいずれかを選択した上で、プロセッサ１１が表示制御を行なう。なおＯＬＥＤの特性により、黒色の表示が最も電力消費が少なくなるため、アンビエントモードにおいては、ノーマルモードに比して黒色表示の割合を多くしていることから、ノーマルモードに比して低電力消費の状態となる。
【００２７】
ノーマルモードにおいては、照度環境に基づいた最高輝度を設定した上で、本来の表示データの階調情報をリニアに表示部１４で再生させる。
【００２８】
一方のアンビエントモードにおいては、ノーマルモードよりも最高輝度を低く設定しながらも、照度環境に基づいた最高輝度を設定し、輝度の低下を補って視覚的にも見易い画像を提供するべく、表示データの階調情報にコントラストを強調する変換を施した上で表示部１４で再生させる。
【００２９】
この場合、表示部１４で表示される画像は、コントラストの強調処理によって、所謂、白トビ、黒ツブレが発生し易く、微小な階調表現が失われたものとなるが、画面全体の輝度が低下していることも含めて、画像の見易さを優先した設定とする。
【００３０】
ノーマルモードは、例えば、加速度センサ１８の検出出力により表示部１４及びタッチ入力部１５の盤面が略水平状態になり、ユーザが表示部１４を視認していると判断した場合、タッチ入力部１５または操作部２２によりユーザの操作があった場合、予め設定した時刻や通信アクセスがあった場合などに対応して設定していたアラーム報知を行なう場合、実行中の動作プログラムで表示状態を維持するよう制御されている場合などの表示モードとする。
【００３１】
アンビエントモードは、ノーマルモードにおいて、例えば、加速度センサ１８の検出出力により表示部１４及びタッチ入力部１５の盤面が略水平状態になり、ユーザが表示部１４を視認していると判断した場合、タッチ入力部１５または操作部２２によりユーザの操作があった場合、予め設定した時刻や通信アクセスがあった場合などに対応して設定していたアラーム報知を行なう場合、のいずれもが途切れたと判断した場合から、一定時間、例えば５秒間が経過した時点で移行する表示モードとする。
【００３２】
なお、ノーマルモードを維持する時間幅は、固定若しくはユーザが任意に可変設定できるものとする。
【００３３】
図２は、表示部１４での表示を行なっている間、所定時間、例えば０．２［秒］周期でプロセッサ１１が実行する、周囲環境に応じて表示部１４での最高輝度を決定する一連の処理内容を示すフローチャートである。
【００３４】
処理当初にプロセッサ１１は、照度センサ１７により表示部１４近傍の照度を検出する（ステップＳ１０１）。
【００３５】
プロセッサ１１は、その時点の表示部１４の表示モードがアンビエントモードであるか否かを判断する（ステップＳ１０２）。アンビエントモードではないと判断した場合（ステップＳ１０２のＮｏ）、表示モードはノーマルモードであることになるので、プロセッサ１１は、照度センサ１７から検出した照度を変数ｘとして、ノーマルモード時の最高輝度ｙを決定する数式「ｙ＝ａｘ＋ｂ」（ａ，ｂはそれぞれ予め設定された定数）により、その時点での最高輝度ｙを決定する（ステップＳ１０３）。
【００３６】
プロセッサ１１は、決定した最高輝度ｙが、その時点で表示部１４で表示する各画素のフル階調値となるように、表示部１４で表示する画像を構成する各画素の階調を変更調整し（ステップＳ１０４）、以上でこの図２の処理を終了する。
【００３７】
図３は、リスト端末１０を電源の電池で動作させている場合のノーマルモードとアンビエントモードでの周辺照度と最高輝度との関係を例示する図である。
【００３８】
図４は、リスト端末１０の電源の電池を充電中の場合のノーマルモードとアンビエントモードでの周辺照度と最高輝度との関係を例示する図である。
【００３９】
図３の電池動作時と図４の充電中動作時のいずれにあっても、ノーマルモードにおける周辺照度と最高輝度の関係「ｙ＝ａｘ＋ｂ」は一定である。
【００４０】
周辺照度が最も低い状態、すなわちリスト端末１０が暗闇の中で動作している際の最高照度をｂとしている。加えて、周辺照度が上がるに連れて、照度センサ１７で検出し得る最大の照度となるまで、傾きａ（ａ＞０）に従って最高輝度ｙがリニアに増加するような設定としている。
【００４１】
また上記ステップＳ１０２において、その時点の表示部１４の表示モードがアンビエントモードであると判断した場合（ステップＳ１０２のＹｅｓ）、次にプロセッサ１１は、リスト端末１０が電池動作中であり、リスト端末１０への充電中ではないかどうかを判断する（ステップＳ１０５）。
【００４２】
リスト端末１０が電池動作中であり、リスト端末１０への充電中ではないと判断した場合（ステップＳ１０５のＹｅｓ）、プロセッサ１１は、照度センサ１７から検出した照度を変数ｘとして、アンビエントモード時の最高輝度ｙを決定する数式「ｙ＝ｃｘ＋ｄ1」（ｃ，ｄ1はそれぞれ予め設定された定数、０＜ｃ＜ａ、ｄ1＜ｂ）により、その時点での最高輝度ｙを決定する（ステップＳ１０６）。
【００４３】
さらに、アンビエントモードにおいては、最高輝度の上限値を設定している。そのため、プロセッサ１１は、上記ステップＳ１０６で決定した最高輝度ｙが電池動作時の上限値ｅ1以上であるか否かを判断する（ステップＳ１０７）。
【００４４】
最高輝度ｙが電池動作時の上限値ｅ1未満であると判断した場合（ステップＳ１０７のＮｏ）、プロセッサ１１は、そのまま決定した最高輝度ｙを採用する。
【００４５】
また上記ステップＳ１０７において、決定した最高輝度ｙが電池動作時の上限値ｅ1以上であると判断した場合（ステップＳ１０７のＹｅｓ）、プロセッサ１１はあらためてアンビエントモード時の最高輝度ｙを「ｙ＝ｅ1」として決定する（ステップＳ１０８）。
【００４６】
プロセッサ１１は、決定した最高輝度ｙが、その時点で表示部１４で表示する各画素のフル階調値となるように、表示部１４で表示する画像を構成する各画素の階調を変更調整し（ステップＳ１０４）、以上でこの図２の処理を終了する。
【００４７】
上記図３に、電池動作時のアンビエントモードでの周辺照度と最高輝度との関係をノーマルモードの場合と併記して例示している。周辺照度が最も低い状態、すなわちリスト端末１０が暗闇の中で動作している際の最高照度をｄ1としている。加えて、周辺照度が上がるに連れて、最高輝度が上限値ｅ1となるまでは、傾きｃ（０＜ｃ＜ａ）に従って最高輝度ｙがリニアに増加する。しかしながら、最高輝度が上限値ｅ1となってからは、周辺照度が上がっても最高輝度ｙが上限値ｅ1で変化しないような設定としている。
【００４８】
上記最高輝度の上限値ｅ1は、ノーマルモード時の最高輝度ｙの最小値ｂよりも低く設定されている。
【００４９】
アンビエントモードは、ユーザが表示部１４にて表示状態を保っていること、及び表示内容が判読できることをなんとか視認可能なレベルで表示を行なうモードとして、自発光素子であるＯＬＥＤを用いた表示部１４での電力消費を低く抑えると共に、高輝度発光によりＯＬＥＤの寿命が短命化するのを回避するべく設けられたものである。
【００５０】
ユーザは、表示部１４での明確な表示状態が必要である場合、例えばタッチ入力部１５を手指でタッチし、あるいは操作部２２のいずれかのボタンキーを軽く操作することにより、即時ノーマルモードに復帰し、以後再びなんの操作もない状態が一定時間経過するまではノーマルモードでの表示状態が維持されるため、アンビエントモードでの表示輝度の低さにストレスを感じることは少ないものと思われる。
【００５１】
また上記ステップＳ１０５において、リスト端末１０が電池動作中ではなく、リスト端末１０への充電中であると判断した場合（ステップＳ１０５のＮｏ）、プロセッサ１１は、照度センサ１７から検出した照度を変数ｘとして、アンビエントモード時の最高輝度ｙを決定する数式「ｙ＝ｃｘ＋ｄ2」（ｃ，ｄ2はそれぞれ予め設定された定数、０＜ｃ＜ａ、ｄ2＜ｄ1＜ｂ）により、その時点での最高輝度ｙを決定する（ステップＳ１０９）。
【００５２】
さらに、充電中のアンビエントモードにおいても、最高輝度の上限値を設定している。そのため、プロセッサ１１は、上記ステップＳ１０９で決定した最高輝度ｙが充電中の上限値ｅ2上であるか否かを判断する（ステップＳ１１０）。
【００５３】
最高輝度ｙが充電中の上限値ｅ2未満であると判断した場合（ステップＳ１１０のＮｏ）、プロセッサ１１は、そのまま決定した最高輝度ｙを採用する。
【００５４】
また上記ステップＳ１１０において、決定した最高輝度ｙが充電中の上限値ｅ2以上であると判断した場合（ステップＳ１１０のＹｅｓ）、プロセッサ１１はあらためてアンビエントモード時の最高輝度ｙを「ｙ＝ｅ2」として決定する（ステップＳ１１１）。
【００５５】
プロセッサ１１は、決定した最高輝度ｙが、その時点で表示部１４で表示する各画素のフル階調値となるように、表示部１４で表示する画像を構成する各画素の階調を変更調整し（ステップＳ１０４）、以上でこの図２の処理を終了する。
【００５６】
上記図４に、充電中のアンビエントモードでの周辺照度と最高輝度との関係をノーマルモードの場合と併記して例示している。周辺照度が最も低い状態、すなわちリスト端末１０が暗闇の中で動作している際の最高照度をｄ2としている。加えて、周辺照度が上がるに連れて、最高輝度が上限値ｅ2となるまでは、傾きｃ（０＜ｃ＜ａ）に従って最高輝度ｙがリニアに増加する。しかしながら、最高輝度が上限値ｅ2となってからは、周辺照度が上がっても最高輝度ｙが上限値ｅ2で変化しないような設定としている。
【００５７】
同じアンビエントモードであり、照度が上がるに連れて最高輝度を高く設定する際の傾きｃは同じとしながら、電池動作時の周辺照度が最も低い状態での最高照度ｄ1と、上限値ｅ1に比して、充電中の周辺照度が最も低い状態での最高照度ｄ2と、上限値ｅ2を共に低く設定したのは、充電中のリスト端末１０をアンビエントモードで表示している状態では、特にユーザが表示部１４を注視するような需要が低いものとして、より一層、ＯＬＥＤの寿命が短命化するのを回避するべく、最高輝度を抑えるための設定である。
【００５８】
また反対に、充電中であれば、表示部１４での電力消費をさほど低く抑える必要もないとの判断から、充電中のアンビエントモードにおいては、充電中の周辺照度が最も低い状態での最高照度ｄ2と、上限値ｅ2とを、電池動作時の周辺照度が最も低い状態での最高照度ｄ1と、上限値ｅ1に比して、それぞれより高く設定するものとしてもよい。
【００５９】
このような充電中の有無に応じたアンビエントモードでの最高輝度の調整に関しては、そのような調整を行なうかどうかも含めて、ユーザが任意に可変設定できるものとすれば良い。
【００６０】
以上詳述した如く本実施形態によれば、必要な表示品質を維持しながら、低消費電力化を図ることが可能となる。
【００６１】
また本実施形態では、アンビエントモード時の最高輝度に上限値を設定することで、自発光素子であるＯＬＥＤを用いた表示部１４の寿命の短命化をより一層回避できるものとした。
【００６２】
特に、アンビエントモード時の最高輝度を、同一照度環境でのノーマルモードの最高輝度に比して明確に低い設定としたことにより、電力消費の低減と自発光素子の長寿命化を確実に実現できる。
【００６３】
さらに本実施形態では、アンビエントモードにおいて、表示部１４で表示する画像にコントラスト強調を含む階調制御を施すものとしたことで、輝度の低下を補って画像の視認性を維持できる。
【００６４】
また本実施形態は、ノーマルモードと最高輝度を抑えたアンビエントモードとを択一的に切替えるものとしたので、画面を部分的に切替えるような場合に比して、制御が容易となってプロセッサ１１の負担が軽減すると共に、特にリスト端末などの表示部のサイズが小さく、アウトドアレジャーなどの活動中の直感的な操作が要求されるようなデバイスでユーザが表示モードの状態を容易に理解でき、必要に応じて簡易にノーマルモードに復帰させることができる。
【００６５】
なお本実施形態では、ノーマルモードに移行する条件としては、例えばリスト端末１０が備えるタッチ入力部１５や操作部２２へのユーザの操作時、予め設定していた時刻や通信アクセスがあった場合のアラーム報知を行なう起動時などとしたので、リスト端末１０を使用するユーザの操作等を簡略化して必要に応じた輝度での表示状態を提供できる。
【００６６】
加えて、ノーマルモードにおいて、リスト端末１０へのユーザの操作が一定時間ない状態が経過した時点で自動的にアンビエントモードに移行するものとしたので、ユーザに負担をかけずに、確実に電力消費の低減と自発光素子の長寿命化を実現できる。
【００６７】
さらに本実施形態では、リスト端末１０の電源を二次電池として、二次電池への充電状態の有無によりアンビエントモード時の最高輝度を増減調整するような動作としたので、ユーザの使用方法の好みに応じたアンビエントモードのカスタマイズ設定が可能となり、より商品性を向上させることができる。
【００６８】
なお、本実施形態では、アンビエントモードにおいて、最高輝度ｙを決定する数式「ｙ＝ｃｘ＋ｄ１」（電池動作の場合）、「ｙ＝ｃｘ＋ｄ２」（充電中動作の場合）において、周辺照度が最も低い状態から、周辺照度が上がるに連れて最高輝度ｙが傾きｃに従い増加し、最高輝度ｙが上限値ｅ１（電池動作の場合）、又は上限値ｅ２（電池動作の場合）に達した場合、以降、周辺照度が上がっても、最高輝度ｙがｅ１（電池動作の場合）、又はｅ２（電池動作の場合）を保つように制御したが、照度センサ１７で検出し得うる最大の照度の場合に、最高輝度ｙがｅ１（電池動作の場合）、またはｅ２（電池動作の場合）となるような傾きｃを設定するようにしてもよい。
【００６９】
また、本実施形態では、表示部１４としてＯＬＥＤを用いる構成としたが、ＯＬＥＤの代わりにバックライトを備えた通常の液晶表示部を用いてもよく、その場合はバックライトの明るさを制御することにより、表示部の輝度制御を行なえばよい。
【００７０】
また、本実施形態では、スマートフォン等のデータ通信装置と連携して、ユーザのリクリエーション動作などを補助する、該ユーザの手首に装着して使用するリスト端末装置に適用した場合について説明したが、本発明はこれに限定するものではなく、自発光型の表示部を有する電子機器であれば同様に適用可能となる。
【００７１】
その他、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００７２】
［請求項１］  
表示部を有する電子機器であって、  
上記表示部周辺の明るさ情報を取得する明るさ情報取得手段と、  
第１の表示モードと、上記第１の表示モードとは異なる第２の表示モードにおいて、取得した上記明るさ情報が明るい程、上記表示部の輝度を高く設定して駆動させる輝度設定手段と、  
を備え、  
上記輝度設定手段は、上記第２の表示モード時の上記表示部の最高輝度を、上記第１の表示モード時の最高輝度より低く設定する、  
電子機器。  
［請求項２］  
上記輝度設定手段は、上記第２の表示モード時に、上記明るさ情報が所定の明るさ以上で上記表示部の輝度の上限値を設定する、請求項１記載の電子機器。  
［請求項３］  
上記輝度設定手段は、上記第２の表示モード時の上記表示部の最高輝度を、上記第１の表示モード時の最小輝度より低く設定する、請求項１記載の電子機器。  
［請求項４］  
上記表示部は自発光型の表示部であり、上記第２の表示モードは、上記第１の表示モードに比して黒色表示の割合を多くすることにより、上記第１の表示モードに比して消費電力が低い、請求項１乃至３いずれか記載の電子機器。  
［請求項５］  
上記第２の表示モードは、上記第１の表示モードに比して、上記表示部で表示する画像にコントラスト強調を含む階調制御を施した表示を実行する、請求項４記載の電子機器。
［請求項６］  
上記第１の表示モードと上記第２の表示モードとを択一的に切替える切替手段をさらに備え、  
上記切替手段は、上記第２の表示モード時に、当該電子機器で予め設定した条件が成立した時点で上記第１の表示モードに切替える、  
請求項１乃至５いずれか記載の電子機器。  
［請求項７］  
上記予め設定した条件は、当該電子機器に備えられる操作部への操作、当該電子機器で設定されていたアラームの起動、当該電子機器に備えられる通信部への外部機器からのアクセス、の内の少なくとも１つである、請求項６記載の電子機器。  
［請求項８］  
上記切替手段は、当該電子機器に備えられる操作部への操作、当該電子機器で設定されていたアラームの起動、当該電子機器に備えられる通信部への外部機器からのアクセス、の内の少なくとも１つの条件が成立し、上記第１の表示モードに切替った後、上記条件が途切れたと判断した場合から、一定時間経過した時点で上記第２の表示モードに切替える、請求項６記載の電子機器。  
［請求項９］  
上記電子機器は、電源として二次電池を備え、  
上記輝度設定手段は、上記二次電池への充電状態の有無により上記第２の表示モード時の上記表示部の輝度を増減設定する、  
請求項１乃至８いずれか記載の電子機器。  
［請求項１０］  
表示部を有する装置での表示制御方法であって、  
上記表示部周辺の明るさ情報を取得する明るさ情報取得工程と、  
第１の表示モードと、上記第１の表示モードとは異なる第２の表示モードにおいて、取得した上記明るさ情報が明るい程、上記表示部の輝度を高く設定して駆動させる輝度設定工程と、  
を有し、  
上記輝度設定工程は、上記第２の表示モード時の上記表示部の最高輝度を、上記第１の表示モード時の最高輝度より低く設定する、  
表示制御方法。  
［請求項１１］  
表示部を有する装置が内蔵したコンピュータが実行するプログラムであって、上記コンピュータを、  
上記表示部周辺の明るさ情報を取得する明るさ情報取得手段と、  
第１の表示モードと、上記第１の表示モードとは異なる第２の表示モードにおいて、取得した上記明るさ情報が明るい程、上記表示部の輝度を高く設定して駆動させる輝度設定手段と、  
して機能させ、  
上記輝度設定手段では、上記第２の表示モード時の上記表示部の最高輝度を、上記第１の表示モード時の最高輝度より低く設定させる、  
プログラム。
【符号の説明】
【００７３】
１０…リスト端末
１１…プロセッサ
１２…ワークメモリ
１３…プログラムメモリ
１４…表示部（ＯＬＥＤ）
１５…タッチ入力部
１６…ＧＰＳ受信部
１７…照度センサ
１８…加速度センサ
１９…気圧センサ
２０…地磁気センサ
２１…温度センサ
２２…操作部
２３…バイブレータ
２４…無線通信部
２５…ＧＰＳアンテナ
２６…アンテナ
Ｂ…バス
【図１】
2020034674.tif 000003
【図２】
2020034674.tif 000004
【図３】
2020034674.tif 000005
【図４】
2020034674.tif 000006